(57)【要約】【課題】消費電力を抑えるための専用の構成を追加することなく、リモートコントロール装置の消費電力を適切に抑える。【解決手段】リモートコントロール装置は、設定モード中に操作者によりおしりスイッチが操作されると所定値上げたデューティ比を設定し（Ｓ１１０，Ｓ１３０）、ビデスイッチが操作されると所定値下げたデューティ比を設定し（Ｓ１２０，Ｓ１４０）、設定したデューティ比に基づくデューティ制御を行って赤外線ＬＥＤからリモコン信号を送信する（Ｓ１５０）。また、洗浄便座は、リモコン信号を受信した旨を電源ＬＥＤの点滅により報知する。このため、操作者は、洗浄便座でのリモコン信号の受信の有無を確認しながら、リモートコントロール装置を操作することで、リモコン信号の送信に必要なデューティ比を設定することができる。【選択図】図８
2018003382.tif 000002
【特許請求の範囲】
【請求項１】
操作信号を受信すると該受信した旨を報知すると共に該受信した操作信号に基づいて作動する洗浄便座に、前記操作信号を送信する洗浄便座のリモートコントロール装置であって、
操作者が前記洗浄便座を操作するための複数の操作スイッチと、
前記操作信号の送信用の発光ダイオードと、
デューティ制御により前記発光ダイオードを駆動する駆動スイッチと、
前記操作スイッチが操作されると、前記デューティ制御を行うことで、前記発光ダイオードの駆動を伴って前記操作された操作スイッチに対応する前記操作信号を送信させる送信制御手段と、
を備え、
前記デューティ制御におけるデューティ比を設定可能で、前記デューティ比の大小に関する設定が前記複数の操作スイッチに予め対応付けられた設定モードを有し、
前記送信制御手段は、前記設定モード中に前記操作スイッチが操作されると、該操作スイッチに対応付けられた前記デューティ比の大小に関する設定に応じて前記デューティ比を設定して前記デューティ制御を行うことで前記操作された操作スイッチに対応する前記操作信号を送信させる
洗浄便座のリモートコントロール装置。
【請求項２】
請求項１に記載の洗浄便座のリモートコントロール装置であって、
人体の着座が検知されていることを条件に前記操作信号に基づいて作動する前記洗浄便座に、前記操作信号を送信する
洗浄便座のリモートコントロール装置。
【請求項３】
請求項１または２に記載の洗浄便座のリモートコントロール装置であって、
電源として交換可能な電池が用いられ、前記電池が交換された場合に前記設定モードを開始する
洗浄便座のリモートコントロール装置。
【請求項４】
請求項１から３のいずれか１項に記載の洗浄便座のリモートコントロール装置であって、
前記リモートコントロール装置のステータスを所定の表示パターンで表示する表示手段を備え、
前記表示手段は、前記設定モード中に前記所定の表示パターンとは異なる表示パターンで表示する
洗浄便座のリモートコントロール装置。
【発明の詳細な説明】
【技術分野】
【０００１】
本発明は、洗浄便座のリモートコントロール装置に関する。
【背景技術】
【０００２】
従来、この種の洗浄便座のリモートコントロール装置として、送信する操作信号の強度レベルを設定可能なものが提案されている。例えば、特許文献１では、リモートコントロール装置が、送信部と受信部と設定部とを備え、洗浄便座が、受送信部（受信部と送信部）を備えている。そして、リモートコントロール装置の送信部がテスト信号を送信し、そのテスト信号を受信した洗浄便座の受送信部が受信した旨を示すテスト信号を送り返し、リモートコントロール装置の受信部が洗浄便座から送り返されたテスト信号を受信すると、設定部は受信部が受信したテスト信号に基づいて送信する信号の強度レベルの設定を変更する。このように、リモートコントロール装置と洗浄便座との間で強度レベルを変更しながらテスト信号をやり取りして、送受信可能な最低の強度レベルに自動で調整することにより、リモートコントロール装置が操作信号を送信する際の消費電力を抑えるものとしている。
【先行技術文献】
【特許文献】
【０００３】
【特許文献１】特開２０１５−４８６６６号公報
【発明の概要】
【発明が解決しようとする課題】
【０００４】
上述したリモートコントロール装置は、操作信号の強度レベルを調整するために、テスト信号の受信部を備える必要がある。即ち、洗浄便座の通常の操作に必要とされない構成を備えることになる。このため、リモートコントロール装置の消費電力を抑えるために、リモートコントロール装置が大型化したり製造コストが増加したりすることがある。
【０００５】
本発明の洗浄便座のリモートコントロール装置は、消費電力を抑えるための専用の構成を追加することなく、消費電力を適切に抑えることを主目的とする。
【課題を解決するための手段】
【０００６】
本発明の洗浄便座のリモートコントロール装置は、上述の主目的を達成するために以下の手段を採った。
【０００７】
本発明の洗浄便座のリモートコントロール装置は、
操作信号を受信すると該受信した旨を報知すると共に該受信した操作信号に基づいて作動する洗浄便座に、前記操作信号を送信する洗浄便座のリモートコントロール装置であって、
操作者が前記洗浄便座を操作するための複数の操作スイッチと、
前記操作信号の送信用の発光ダイオードと、
デューティ制御により前記発光ダイオードを駆動する駆動スイッチと、
前記操作スイッチが操作されると、前記デューティ制御を行うことで、前記発光ダイオードの駆動を伴って前記操作された操作スイッチに対応する前記操作信号を送信させる送信制御手段と、
を備え、
前記デューティ制御におけるデューティ比を設定可能で、前記デューティ比の大小に関する設定が前記複数の操作スイッチに予め対応付けられた設定モードを有し、
前記送信制御手段は、前記設定モード中に前記操作スイッチが操作されると、該操作スイッチに対応付けられた前記デューティ比の大小に関する設定に応じて前記デューティ比を設定して前記デューティ制御を行うことで前記操作された操作スイッチに対応する前記操作信号を送信させる
ことを要旨とする。
【０００８】
本発明の洗浄便座のリモートコントロール装置は、デューティ制御におけるデューティ比を設定可能で、デューティ比の大小に関する設定が複数の操作スイッチに予め対応付けられた設定モードを有し、設定モード中に操作スイッチが操作されると、操作スイッチに対応付けられたデューティ比の大小に関する設定に応じてデューティ比を設定してデューティ制御を行うことで操作された操作スイッチに対応する操作信号を送信させる。また、リモートコントロール装置から操作信号が送信される洗浄便座は、操作信号を受信した旨を報知する。これにより、設定モードにおいては、操作者が、デューティ比の大小に関する設定が対応付けられた操作スイッチを操作する度に、デューティ比の設定が変更されて、変更後のデューティ比に基づくデューティ制御によりリモコン信号が送信されることになる。このため、操作者は、洗浄便座が操作信号を受信するか否かを確認しながら、操作スイッチを操作することで、操作信号の送信に必要なデューティ比を設定することができる。したがって、リモートコントロール装置の通常操作に用いられる構成を用いて、リモートコントロール装置が操作信号を送信する際の消費電力を抑えることが可能となる。なお、「前記デューティ比の大小に関する設定が前記複数の操作スイッチに予め対応付けられた」とは、デューティ比を大きくする設定（増加）と小さくする設定（減少）とがそれぞれ１以上の操作スイッチに対応付けられているものでもよいし、設定値の大小が異なる複数のデューティ比が複数の操作スイッチに対応付けられているものでもよい。
【０００９】
本発明の洗浄便座のリモートコントロール装置において、人体の着座が検知されていることを条件に前記操作信号に基づいて作動する前記洗浄便座に、前記操作信号を送信するものとすることもできる。こうすれば、設定モード中に、操作者は着座することなくリモートコントロール装置の操作スイッチを操作することにより、洗浄便座が不必要に作動するのを防止しつつ、操作信号の送信に必要なデューティ比を設定することができる。
【００１０】
本発明の洗浄便座のリモートコントロール装置において、電源として交換可能な電池が用いられ、前記電池が交換された場合に前記設定モードを開始するものとすることもできる。こうすれば、操作者は電池交換した際にデューティ比を適切に設定することで、電池の寿命を延ばすことが可能となる。
【００１１】
本発明の洗浄便座のリモートコントロール装置において、前記リモートコントロール装置のステータスを所定の表示パターンで表示する表示手段を備え、前記表示手段は、前記設定モード中に前記所定の表示パターンとは異なる表示パターンで表示するものとすることもできる。こうすれば、設定モード中であることを操作者に認識させて、設定モードに応じた設定を適切に行わせることができる。
【図面の簡単な説明】
【００１２】
【図１】洗浄便座１０とリモートコントロール装置３０の外観構成の概略を示す外観斜視図である。
【図２】洗浄便座１０の制御に関する構成を示す構成図である。
【図３】リモートコントロール装置３０の正面図である。
【図４】リモートコントロール装置３０の制御に関する構成を示す構成図である。
【図５】リモコン信号の一例を示す説明図である。
【図６】リモコン信号を構成するビットデータの一例を示す説明図である。
【図７】ＬＥＤ発光信号と受光モジュール出力信号の一例を示す説明図である。
【図８】設定処理ルーチンの一例を示すフローチャートである。
【図９】電池使用期間と電圧低下との関係の一例を示す説明図である。
【発明を実施するための形態】
【００１３】
本発明を実施するための形態を実施例を用いて説明する。
【実施例】
【００１４】
図１は、洗浄便座１０とリモートコントロール装置３０の外観構成の概略を示す外観斜視図であり、図２は、洗浄便座１０の制御に関する構成を示す構成図であり、図３は、リモートコントロール装置３０の正面図であり、図４は、リモートコントロール装置３０の制御に関する構成を示す構成図である。
【００１５】
実施例の洗浄便座１０は、人体の局部を洗浄するための洗浄水を図示しない噴射ノズルから噴射するものである。この洗浄便座１０は、リモートコントロール装置（以下、リモコンという）３０により各種作動指示が可能となっている。洗浄便座１０の各種作動としては、例えば、おしり洗浄とビデ洗浄のいずれかの噴射洗浄の開始やその停止、脱臭の有無などの他、噴射する洗浄水の水勢の強弱の設定、噴射する洗浄位置の前後の設定、便器内に多量の洗浄水を流す大洗浄、便器内に少量の洗浄水を流す小洗浄などが挙げられる。
【００１６】
洗浄便座１０は、図２に示すように、比較的低い電圧（例えば５ボルトなど）で作動する低電圧系の作動部１１と、比較的高い電圧（例えば１２ボルトなど）で作動する高電圧系の作動部２０とを備える。洗浄便座１０は、低電圧系の作動部１１の主な構成として、図示しないＣＰＵやＲＯＭ，ＲＡＭなどを内蔵するマイクロコンピュータ（以下、便座側マイコンという）１２と、人体の着座を検知する着座検知センサ１４と、リモコン３０から送信されるリモコン信号（後述する赤外線信号）を受信（受光）する受光モジュール１６と、カソード側が抵抗Ｒ１１を介して便座側マイコン１２に接続され洗浄便座１０が電源投入状態にある場合に点灯される電源ＬＥＤ１８と、カソード側が抵抗Ｒ１２を介して便座側マイコン１２に接続され洗浄便座１０が節電状態にある場合に点灯される節電ＬＥＤ１９とを備える。なお、洗浄便座１０は、便座本体またはリモコン３０に設けられた図示しない節電スイッチの操作により節電状態に設定することができる。また、洗浄便座１０は、高電圧系の作動部２０の主な構成として、洗浄水の噴射ノズルを駆動するノズルモータ２２と、図示しない脱臭ファンを駆動する脱臭モータ２４と、ノズルモータ２２にコレクタが接続されると共にエミッタがグランドに接地され抵抗Ｒ１３を介してベースが便座側マイコン１２に接続されたトランジスタＴ１１と、脱臭モータ２４にコレクタが接続されると共にエミッタがグランドに接地され抵抗Ｒ１４を介してベースが便座側マイコン１２に接続されたトランジスタＴ１２とを備える。
【００１７】
便座側マイコン１２は、着座検知センサ１４からの検知信号や受光モジュール１６が受信したリモコン信号などが入力される。一方、便座側マイコン１２は、洗浄便座１０が電源投入状態にある場合に電源ＬＥＤ１８を点灯したり、洗浄便座１０が節電状態にある場合に節電ＬＥＤ１９を点灯したりする。また、便座側マイコン１２は、受光モジュール１６が所定のリモコン信号（例えば、おしり洗浄やビデ洗浄の開始を指示する信号や脱臭ファンの駆動を指示する信号など）を受信した場合、着座検知センサ１４からの検知信号が入力されていれば、受光モジュール１６が受信したリモコン信号に基づいてノズルモータ２２を駆動させるようトランジスタＴ１１をオンしたり、リモコン信号に基づいて脱臭モータ２４を駆動させるようトランジスタＴ１２をオンしたりする。また、便座側マイコン１２は、受光モジュール１６がリモコン信号を受信した場合に、電源ＬＥＤ１８を点滅させる。このため、洗浄便座１０の操作者は、電源ＬＥＤ１８の点滅の有無を目視で確認することにより、リモコン３０から送信されたリモコン信号を洗浄便座１０（受光モジュール１６）が正常に受信したか否かを判断することができる。
【００１８】
リモコン３０は、図４に示すように、図示しないＣＰＵやＲＯＭ，ＲＡＭなどを内蔵するマイクロコンピュータ（以下、リモコン側マイコンという）３２と、洗浄便座１０にリモコン信号を送信する信号送信部３５と、電源としての電池Ｂ（例えば、直列接続される２つの電池Ｂ１，Ｂ２）の電圧を監視する電圧監視部３７と、操作者により操作可能な各種操作スイッチを含むスイッチ群４０とを備える。なお、電池Ｂ（Ｂ１，Ｂ２）としては、例えば公称電圧が１．５Ｖの単三電池などが用いられ、リモコン３０の裏蓋を外して交換が可能となっている。
【００１９】
信号送信部３５は、第１送信部３５ａと第２送信部３５ｂとを備える。第１送信部３５ａは、赤外線を発光する第１赤外線ＬＥＤ３６ａと、第１赤外線ＬＥＤ３６ａのカソード側に抵抗Ｒ２１を介してコレクタが接続されると共にエミッタがグランドに接地され抵抗Ｒ２２を介してベースがリモコン側マイコン３２に接続されたトランジスタＴ２１とを備える。第２送信部３５ｂは、第１送信部３５ａと同様に構成され、赤外線を発光する第２赤外線ＬＥＤ３６ｂと、第２赤外線ＬＥＤ３６ｂのカソード側に抵抗Ｒ２３を介してコレクタが接続されると共にエミッタがグランドに接地され抵抗Ｒ２４を介してベースがリモコン側マイコン３２に接続されたトランジスタＴ２２とを備える。また、図３に示すように、第１送信部３５ａ（第１赤外線ＬＥＤ３６ａ）と第２送信部３５ｂ（第２赤外線ＬＥＤ３６ｂ）は、それぞれ、リモコン３０の左上端と右上端から赤外線を発光可能に設けられている。
【００２０】
電圧監視部３７は、電池Ｂ１のプラス側端子とグランドとの間に直列に接続された分圧抵抗Ｒ２５，Ｒ２６と、カソード側が抵抗Ｒ２７を介してリモコン側マイコン３２に接続された寿命ＬＥＤ３８とを備える。リモコン側マイコン３２は、分圧抵抗Ｒ２５，Ｒ２６の接続点に接続されており、分圧抵抗Ｒ２５，Ｒ２６により分圧された出力電圧に基づいて電池Ｂ（Ｂ１，Ｂ２）の電圧を検知する。また、リモコン側マイコン３２は、電池Ｂ１，Ｂ２の合計の電圧（電池電圧ともいう）が所定の寿命電圧Ｖ１（例えば２．４Ｖなど）よりも若干高い交換用電圧Ｖ２（例えば２．５Ｖなど）まで低下した場合に、寿命ＬＥＤ３８を点滅させる。寿命ＬＥＤ３８の点滅により、操作者に電池Ｂの交換を促すものとなる。そして、リモコン側マイコン３２は、電池電圧が寿命電圧Ｖ１まで低下した場合に、寿命ＬＥＤ３８を点灯させる。寿命ＬＥＤ３８が点灯している状態では、リモコン３０は使用不能となり、電池交換が必要となる。このように、寿命ＬＥＤ３８は、リモコン３０の電池Ｂの状態（ステータス情報）を表示するものである。
【００２１】
スイッチ群４０は、図３に示すように、おしり洗浄の開始を指示するおしりスイッチ４１と、ビデ洗浄の開始を指示するビデスイッチ４２と、おしり洗浄やビデ洗浄の停止を指示する止スイッチ４３と、おしり洗浄やビデ洗浄の水勢を強める強スイッチ４４ａと水勢を弱める弱スイッチ４４ｂとを有する水勢設定スイッチ４４と、おしり洗浄やビデ洗浄の洗浄位置を前方に変更する前スイッチ４５ａと後方に変更する後スイッチ４５ｂとを有する洗浄位置設定スイッチ４５と、脱臭ファンの駆動による脱臭の開始または停止を指示する脱臭スイッチ４６と、多量の洗浄水での便器内洗浄を指示する大洗浄スイッチ４７と、少量の洗浄水での便器内洗浄を指示する小洗浄スイッチ４８とを備える。なお、図４では、一部のスイッチのみを図示する。
【００２２】
リモコン側マイコン３２は、スイッチ群４０から、各操作スイッチに対する操作がなされたことを示す信号が入力される。リモコン側マイコン３２は、その信号が入力されると、操作された操作スイッチに対応するリモコン信号を生成し、生成したリモコン信号を第１送信部３５ａおよび第２送信部３５ｂから送信する。ここで、実施例のリモコン信号について説明する。図５は、リモコン信号の一例を示す説明図であり、図６は、リモコン信号を構成するビットデータの一例を示す説明図であり、図７は、ＬＥＤ発光信号と受光モジュール出力信号の一例を示す説明図である。図５，図６では、リモコン信号を受信した受光モジュール１６から出力される信号を示す。なお、受光モジュール１６は、図７に示すように、リモコン３０からの赤外線を受光しているときに出力がＬｏｗとなり、赤外線を受光していないときに出力がＨｉｇｈとなるよう信号を出力する。
【００２３】
リモコン信号は、図５に示すように、信号の開始を示すリーダーコードなどが格納されるヘッダ領域と、各種作動指示を示すデータコードなどが格納されるデータ領域とにより構成される。データ領域には、スイッチ群４０の各種操作スイッチの操作に対応するデータコードが格納される。リモコン側マイコン３２は、各種操作スイッチの操作に対応するデータコードとして、例えば、おしり洗浄やビデ洗浄の開始あるいは停止を示すデータコードや脱臭の開始あるいは停止を示すデータコード、洗浄強度や洗浄位置などを示すデータコードなどを、リモコン側マイコン３２のＲＯＭから読み出して格納する。これらのコードは、例えば、各ビットデータが値０または値１を示す８ビットのコードを含んで構成される。本実施例におけるビットデータの値１と値０は、図６に示すように、受光モジュール１６の出力がＨｉｇｈとなる期間（リモコン３０の信号送信部３５が赤外線を発光しない期間）が異なっている。例えば、値１のビットデータでは、受光モジュール１６の出力がＬｏｗとなる期間とＨｉｇｈとなる期間とがいずれも時間ｔ（例えば０．５６ｍｓなど）となっている。一方、値０のビットデータでは、受光モジュール１６の出力がＬｏｗとなる期間は時間ｔ（例えば０．５６ｍｓなど）であるのに対し、Ｈｉｇｈとなる期間が時間３ｔ（例えば１．６８ｍｓなど）となっている。
【００２４】
また、リモコン側マイコン３２は、信号送信部３５から赤外線を発光させる期間では、例えば３８ｋＨｚのキャリア周波数で振幅変調した所定のデューティ比のパルス信号に基づいてトランジスタＴ２１やトランジスタＴ２２をデューティ制御（スイッチング制御）する。また、本実施例では、デューティ制御のパルス信号におけるオン時間の割合であるデューティ比を設定変更可能となっている。例えば、デューティ比を所定範囲（例えば１０％〜５０％程度の範囲）の間で所定値ずつ（例えば５％ずつ）設定変更することができる。このデューティ比は、後述するように、操作者が電池交換時に初期設定を変更することができ、また、リモコン側マイコン３２が電池電圧の低下に基づいて設定変更することができる。例えば、電池交換された場合の初期のデューティ比のデフォルト値として３０％が設定されており（図７（ａ）参照）、電池電圧の低下を検出するとリモコン側マイコン３２は所定値（例えば５％など）ずつデューティ比を上げていき、電池切れ直前では例えば５０％などが設定される（図７（ｂ）参照）。このように、本実施例では、電池電圧が比較的高い場合にデューティ比を下げてリモコン信号の強度を弱めることで消費電力を抑え、電池電圧が低くなるにつれてデューティ比を上げてリモコン信号の強度を強めることでリモコン信号を確実に送信するものとしている。
【００２５】
次に、操作者がリモコン３０の送信に関する設定を行う処理について説明する。図８は、設定処理ルーチンの一例を示すフローチャートである。ここで、リモコン３０は、例えば新しい電池Ｂに交換された場合などに、送信に関する設定を行う設定モードを開始する。設定モードを開始すると、リモコン側マイコン３２により図８の設定処理ルーチンが実行される。この設定モードは、所定範囲で設定変更可能なデューティ比のうち初期のデューティ比を設定可能なモードである。
【００２６】
設定処理ルーチンが実行されると、リモコン側マイコン３２は、まず、寿命ＬＥＤ３８を点滅表示させる（Ｓ１００）。これにより、設定モード中にあることを操作者に報知する。そして、操作者により、おしりスイッチ４１が操作されたか否か（Ｓ１１０）、ビデスイッチ４２が操作されたか否か（Ｓ１２０）、をそれぞれ判定する。この設定モードでは、スイッチ群４０の各種操作スイッチとデューティ比の増減とが予め対応付けられている。一例として、おしりスイッチ４１にデューティ比の所定値分（例えば５％）の増加が対応付けられ、ビデスイッチ４２にデューティ比の所定値分（例えば５％）の減少が対応付けられている。このため、リモコン側マイコン３２は、Ｓ１１０でおしりスイッチ４１が操作されたと判定すると、現在のデューティ比を所定値（例えば５％）上げたデューティ比を設定し（Ｓ１３０）、Ｓ１２０でビデスイッチ４２が操作されたと判定すると、現在のデューティ比を所定値（例えば５％）下げたデューティ比を設定する（Ｓ１４０）。このように、設定モード中は、おしりスイッチ４１とビデスイッチ４２とを操作する度に、デューティ比の設定が変更されることになる。そして、Ｓ１３０またはＳ１４０で設定したデューティ比でのデューティ制御を行うことで、操作された操作スイッチに対応するリモコン信号を送信用ＬＥＤから送信して（Ｓ１５０）、次のＳ１６０の処理に進む。また、Ｓ１１０，Ｓ１２０でいずれの操作スイッチも操作されていないと判定すると、Ｓ１４０〜Ｓ１５０の処理をスキップして、次のＳ１６０の処理に進む。なお、上述したように、洗浄便座１０は、おしり洗浄やビデ洗浄の開始を指示する信号を受信しても、着座検知センサ１４からの検知信号が入力されていなければ、ノズルモータ２２を駆動しないものとなっている。このため、操作者は、洗浄便座１０に着座することなくリモコン３０を操作していれば、設定モード中に洗浄便座１０が不必要に作動することはない。
【００２７】
ここで、電池交換時の初期のデューティ比をできるだけ下げることができれば、その後の電圧低下に伴ってデューティ比が上昇してもデューティ比が比較的低目で推移することになり、リモコン３０の消費電力を抑えることができる。そこで、電池交換時のデューティ比をできるだけ低目に設定するよう、設定モードの開始時には、例えば設定可能範囲の下限近傍（例えば１５％など）に設定するものとした。後述するように、設定モード中にスイッチ操作がなされずに所定時間が経過した場合にはデフォルトのデューティ比（例えば３０％）を設定するが、設定モードでは低目のデューティ比の設定を促すようモード開始時のデューティ比がデフォルトよりも低い値となっている。このため、操作者は、まずビデスイッチ４２を操作して、設定可能範囲の下限近傍からさらに所定値分下げた設定可能範囲の下限のデューティ比（例えば１０％）でリモコン信号を送信させて、洗浄便座１０での受信を確認することが好ましい。そして、洗浄便座１０での受信が確認できれば、おしりスイッチ４１を操作することなく設定可能範囲の下限のデューティ比を初期のデューティ比に設定させる。また、洗浄便座１０での受信が確認できなければ、操作者はおしりスイッチ４１やビデスイッチ４２を操作してデューティ比を一段階（例えば５％）ずつ上げたり下げたりしながら、洗浄便座１０での受信を確認することで、受信可能な下限のデューティ比を設定すればよい。なお、設定モードの開始時に設定可能範囲の下限（例えば１０％）のデューティ比としておくものとしてもよい。
【００２８】
次に、リモコン側マイコン３２は、寿命ＬＥＤ３８を点滅させてから、即ち設定モードを開始してから所定時間が経過したか否かを判定する（Ｓ１６０）。この所定時間は、おしりスイッチ４１とビデスイッチ４２とを数回ずつ操作し、洗浄便座１０の電源ＬＥＤ１８の点滅の有無を目視で確認するのに十分な時間として、数秒から十数秒程度（例えば１０秒など）に定められている。Ｓ１６０で所定時間が経過していないと判定すると、Ｓ１１０に戻り処理を繰り返し、Ｓ１６０で所定時間が経過したと判定すると、点滅表示中の寿命ＬＥＤ３８を消灯して（Ｓ１７０）、本処理を終了する。これにより、設定モードが終了する。また、設定モードの終了後は、Ｓ１３０，Ｓ１４０で設定したデューティ比を用いてリモコン信号の送信（デューティ制御）が行われる。このため、設定モードの終了条件（所定時間経過）が成立する前に直近に設定したデューティ比が、以降のデューティ比（初期のデューティ比）となる。また、設定モード中にスイッチ操作がなされずに所定時間が経過した場合には、デフォルトのデューティ比（例えば３０％）をそのまま設定する。
【００２９】
図９は、電池使用期間と電圧低下との関係の一例を示す説明図である。点線で示す比較例の関係は、電池交換時のデューティ比をデフォルトの値（例えば３０％）に設定した場合を示す。一方、実線で示す実施例の関係は、電池交換時のデューティ比を設定可能範囲の下限のデューティ比（例えば１０％）に設定した場合を示す。図示するように、比較例では、電池交換（使用開始）から２年程度で電池電圧が交換用電圧Ｖ２に到達する。一方、実施例では、初期のデューティ比を小さくすることで電池使用期間におけるリモコン３０の消費電力を抑えることができるから、電池交換（使用開始）から６年程度で電池電圧が交換用電圧Ｖ２に到達する。即ち、実施例では、比較例に比して電池Ｂの寿命を大きく延ばすことができるものとなる。ここで、電源に電池Ｂを用いるリモコン３０では、電池寿命をできるだけ長くして電池交換頻度を低くすることが要求されている。また、洗浄便座１０とリモコン３０が、公衆トイレなどの公共の場に設けられていると、電池切れが生じても直ちに電池交換がなされない場合がある。その場合、操作者がリモコン３０で洗浄便座１０を操作することができずに不便を感じることになる。また、公共の場に設けられるリモコン３０の盗難対策として、リモコン３０を壁などから簡単に取り外せないように設置する場合がある。その場合、リモコン３０を取り外して行う電池交換作業が煩わしいものとなる。これらのことから、リモコン３０の電池交換頻度を低くする要求はより顕著なものとなる。本実施例では、リモコン３０のリモコン信号送信時における消費電力を抑えて電池寿命を延ばすことができるから、電池交換頻度を低いものとしてそのような要求を満たすことができる。
【００３０】
以上説明した本実施例のリモコン３０は、設定モード中に操作スイッチが操作されると、操作された操作スイッチに対応付けられた増減に応じて変更したデューティ比に基づいてトランジスタＴ２１，２２のデューティ制御を行うことでリモコン信号を送信させる。また、洗浄便座１０は、リモコン信号を受信した旨を電源ＬＥＤ１８の点滅により報知する。このため、操作者は、設定モード中に、洗浄便座１０がリモコン信号を受信するか否かを確認しながらリモコン３０の操作スイッチを操作することで、リモコン信号の送信に必要なデューティ比を設定することができる。これにより、リモコン３０に消費電力を抑えるための専用の構成を追加することなく、リモコン３０がリモコン信号を送信する際の消費電力を抑えることが可能となる。
【００３１】
また、洗浄便座１０が、着座検知センサ１４により人体の着座が検知されていることを条件にリモコン信号に基づいて作動するから、送信用ＬＥＤを設定する際に洗浄便座１０が不必要に作動するのを防止することができる。
【００３２】
また、リモコン３０は、電池交換された場合に設定モードを開始するから、電池交換した際にデューティ比を適切に設定して、交換した電池Ｂの寿命を延ばすことが可能となる。また、洗浄便座１０やリモコン３０の設置時には、通常はリモコン３０に新しい電池Ｂを取り付けるから、設置時にデューティ比を適切に設定することができる。
【００３３】
また、リモコン３０は、設定モード中は寿命表示とは異なるパターンで寿命ＬＥＤ３８を点灯（点滅）させるから、設定モードにあることを操作者に確実に認識させて、設定モードに応じた設定を適切に行わせることができる。
【００３４】
実施例では、２つの信号送信部３５ａ，３５ｂ（赤外線ＬＥＤ３６ａ，３６ｂ）を備えるものとしたが、これに限られず、信号送信部（赤外線ＬＥＤ）を１つだけ備えるものとしてもよいし、３つ以上備えるものとしてもよい。
【００３５】
実施例では、設定モードにおいてスイッチ群４０の操作スイッチにデューティ比の増減が対応付けられるものとしたが、これに限られず、スイッチ群４０の操作スイッチにデューティ比の大小に関する設定が対応付けられるものであればよく、操作スイッチに大小の異なるデューティ比が対応付けられるものとしてもよい。例えば、おしりスイッチ４１に第１デューティ比（例えばデューティ範囲の下限の１０％など）が対応付けられ、ビデスイッチ４２に第１デューティ比よりも大きい第２デューティ比（例えば２０％など）が対応付けられ、止スイッチ４３に第２デューティ比よりも大きい第３デューティ比（例えばデフォルトの３０％など）が対応付けられるものなどとしてもよい。
【００３６】
実施例では、リモコン３０は寿命ＬＥＤ３８の点滅により設定モード中にあることを報知するものとしたが、これに限られず、寿命ＬＥＤ３８以外の他のＬＥＤの点滅により設定モード中にあることを報知するものとしてもよい。
【００３７】
実施例では、洗浄便座１０は電源ＬＥＤ１８の点滅によりリモコン信号を受信したことを報知するものとしたが、これに限られず、電源ＬＥＤ１８以外の節電ＬＥＤ１９などの他のＬＥＤの点滅によりリモコン信号を受信したことを報知するものとしてもよい。また、ＬＥＤの点滅により報知するものに限られず、操作者にリモコン信号を受信したことを報知するものであれば如何なるものとしてもよい。例えば、洗浄便座１０がスピーカを備える場合には、スピーカから出力する音により報知するものなどとしてもよい。
【００３８】
実施例では、リモコン３０として赤外線方式のリモコンを例示したが、これに限られず、電磁波（電波）などの他の方式のリモコンとしてもよい。
【００３９】
実施例の主要な要素と課題を解決するための手段の欄に記載した発明の主要な要素との対応関係について説明する。実施例では、洗浄便座１０が「洗浄便座」に相当し、リモートコントロール装置（リモコン）３０が「リモートコントロール装置」に相当し、スイッチ群４０の各操作スイッチが「複数の操作スイッチ」に相当し、第１赤外線ＬＥＤ３６ａと第２赤外線ＬＥＤ３６ｂとが「発光ダイオード」に相当し、トランジスタＴ２１，Ｔ２２が「駆動スイッチ」に相当し、マイクロコンピュータ（リモコン側マイコン）３２が「送信制御手段」に相当する。また寿命ＬＥＤ３８が「表示手段」に相当する。
【００４０】
なお、実施例の主要な要素と課題を解決するための手段の欄に記載した発明の主要な要素との対応関係は、実施例が課題を解決するための手段の欄に記載した発明を実施するための形態を具体的に説明するための一例であることから、課題を解決するための手段の欄に記載した発明の要素を限定するものではない。即ち、課題を解決するための手段の欄に記載した発明についての解釈はその欄の記載に基づいて行なわれるべきものであり、実施例は課題を解決するための手段の欄に記載した発明の具体的な一例に過ぎないものである。
【００４１】
以上、本発明を実施するための形態について実施例を用いて説明したが、本発明はこうした実施例に何等限定されるものではなく、本発明の要旨を逸脱しない範囲内において、種々なる形態で実施し得ることは勿論である。
【産業上の利用可能性】
【００４２】
本発明は、洗浄便座の製造産業などに利用可能である。
【符号の説明】
【００４３】
１０  洗浄便座、１１  低電圧系の作動部、１２  マイクロコンピュータ（便座側マイコン）、１４  着座検知センサ、１６  受光モジュール、１８  電源ＬＥＤ、１９  節電ＬＥＤ、２０  高電圧系の作動部、２２  ノズルモータ、２４  脱臭モータ、３０  リモートコントロール装置（リモコン）、３２  マイクロコンピュータ（リモコン側マイコン）、３５  信号送信部、３５ａ  第１送信部、３５ｂ  第２送信部、３６ａ  第１赤外線ＬＥＤ、３６ｂ  第２赤外線ＬＥＤ、３７  電圧監視部、３８  寿命ＬＥＤ、４０  スイッチ群、４１  おしりスイッチ、４２  ビデスイッチ、４３  止スイッチ、４４  水勢設定スイッチ、４４ａ  強スイッチ、４４ｂ  弱スイッチ、４５  洗浄位置設定スイッチ、４５ａ  前スイッチ、４５ｂ  後スイッチ、４６  脱臭スイッチ、４７  大洗浄スイッチ、４８  小洗浄スイッチ、Ｂ，Ｂ１，Ｂ２  電池、Ｒ１１〜Ｒ１４，Ｒ２１〜Ｒ２７  抵抗、Ｔ１１，Ｔ１２，Ｔ２１，Ｔ２２  トランジスタ。
【図１】
2018003382.tif 000003
【図２】
2018003382.tif 000004
【図３】
2018003382.tif 000005
【図４】
2018003382.tif 000006
【図５】
2018003382.tif 000007
【図６】
2018003382.tif 000008
【図７】
2018003382.tif 000009
【図８】
2018003382.tif 000010
【図９】
2018003382.tif 000011